(57)【要約】【課題】自転車のハンドルのグリップ端部に装着できるＬＥＤ灯具を提供する。【解決手段】本発明の自転車用ＬＥＤ灯具は、上部が開口した円筒形のケースと、底蓋に挿入される円筒形で透明な上蓋と、円筒形で上部には中央開口部が、底部には貫通孔が設けられ、ケースの側面と底面、上蓋の上面と側面を覆うゴムカバーと、ケースに収納されるボタン形の電池と、電池の上側の載置される基板と、基板の中央に設けられるＬＥＤと、ＬＥＤの両側に設けられるノンロックの皿バネ型スイッチと、上蓋の内側に設けられ、上蓋が押下されると、皿バネ型スイッチを押圧する押圧突起と、ケースの底部の係合部に取り付けられ、２つに折り曲げられ外側に膨らんだ形状のピンと、が備えられ、ピンが自転車のハンドルに装着されるグリップの端部開口孔に留め置かれる。【選択図】図１
2016002816.tif 000002
【特許請求の範囲】
【請求項１】
上部が開口した円筒形のケースと、
前記ケースに挿入される円筒形で透明な上蓋と、
円筒形で上部には中央開口部が、底部には底孔が設けられ、前記ケースの側面と底面、前記上蓋の上面と側面を覆うゴムカバーと、
前記ケースに収納されるボタン形の電池と、
電池の上側の載置される基板と、
前記基板の中央に設けられるＬＥＤと、
前記ＬＥＤの両側に設けられるノンロックの皿バネ型スイッチと、
前記上蓋の内側に設けられ、前記上蓋が押下されると、前記皿バネ型スイッチを押圧する押圧突起と、
前記ケースの底部の係合部に取り付けられ、２つに折り曲げられ外側に膨らんだ形状のピンと、が備えられ、
前記ピンが自転車のハンドルに装着されるグリップの端部開口孔に留め置かれることを特徴とする自転車用ＬＥＤ灯具。
【請求項２】
前記ＬＥＤは、前記上蓋が押下されるごとに、点灯、点滅及び滅灯を繰り返すことを特徴とする請求項１に記載の自転車用ＬＥＤ灯具。
【発明の詳細な説明】
【技術分野】
【０００１】
本発明は、自転車用ＬＥＤ灯具に係り、より詳しくは、自転車のハンドルの端部に取り付けできる自転車用ＬＥＤ灯具に関する。
【背景技術】
【０００２】
特許文献１には、携帯用の小型軽量の交通安全灯具が示されている。この交通安全灯具は、ペンダント型のケースの中に電池と発光ダイオード（ＬＥＤ）を組み込んだもので、首にかけるためチェーンや紐が設けられている。
【０００３】
特許文献２には、電池で駆動の自動点滅ＬＥＤ灯装置が示されている。自動点滅ＬＥＤ灯装置の底部には、取付帯金（８）とねじ（９）が設けられ、自転車のハンドル（パイプの部分）に挟み込んで、ねじで取り付けることができる。
【０００４】
特許文献３には、複数のＬＥＤと、ボタン形の電池と、点滅と点灯を切り換える操作スイッチと、ケース下部に設けられるクリップと、上下方向と左右方向に角度調節が可能なＬＥＤ灯具が示されている。このＬＥＤ灯具は、自転車の籠の縁に装着できる。
【０００５】
取付帯金を備えたＬＥＤ灯具は、自転車のハンドルのパイプ部に装着できるが、ハンドルのグリップ端部には装着できない。ＬＥＤ灯具をハンドルのグリップ端部に装着し、側面方向からの自転車の視認性を高めることが望まれる。
【先行技術文献】
【特許文献】
【０００６】
【特許文献１】実開平７−３４５０１号公報
【特許文献２】実開平７−２９７０１号公報
【特許文献３】実用新案登録第３１５８４１９号公報
【発明の概要】
【発明が解決しようとする課題】
【０００７】
本発明の目的は、自転車のハンドルのグリップ端部に装着できるＬＥＤ灯具を提供することにある。
【課題を解決するための手段】
【０００８】
本発明による自転車用ＬＥＤ灯具は、上部が開口した円筒形のケースと、底蓋に挿入される円筒形で透明な上蓋と、円筒形で上部には中央開口部が、底部には貫通孔が設けられ、前記ケースの側面と底面、前記上蓋の上面と側面を覆うゴムカバーと、前記ケースに収納されるボタン形の電池と、電池の上側の載置される基板と、前記基板の中央に設けられるＬＥＤと、前記ＬＥＤの両側に設けられるノンロックの皿バネ型スイッチと、前記上蓋の内側に設けられ、前記上蓋が押下されると、前記皿バネ型スイッチを押圧する押圧突起と、前記ケースの底部の係合部に取り付けられ、２つに折り曲げられ外側に膨らんだ形状のピンと、が備えられ、前記ピンが自転車のハンドルに装着されるグリップの端部開口孔に留め置かれることを特徴とする。
【０００９】
前記ＬＥＤは、前記上蓋が押下されるごとに、点灯、点滅及び滅灯を繰り返すことを特徴とする。
【発明の効果】
【００１０】
本発明の自転車用ＬＥＤ灯具によれば、（１）ケースの底部に外側に膨らんだ形状のピンを設け、自転車のハンドルのグリップ端部開口孔に留め置くようにしたので、側面方向からの自転車の視認性を高めることができる。（２）上蓋の内側に押圧突起を設け、上蓋を押下すると押圧突起が皿バネ型スイッチを押圧するようにしたので、トグルスイッチのような突起がなく、正面側からの操作がしやすい。（３）ケースの側面と底面、上蓋の上面と側面を覆うゴムカバーを設けたので、ケースと上蓋の隙間から雨水の進入を防止できる。（４）基板表面にノンロックの皿バネ型スイッチを搭載したので、高さを抑えて薄型にできる。（５）ＬＥＤの両側にノンロックの皿バネ型スイッチを設けたので、皿バネ型スイッチの真上を狙って押下する必要がなく、上蓋の中央付近を押下して、操作できる。また、一方の皿バネ型スイッチが故障しても、他方が正常であれば動作するので、信頼性も向上できる。
【００１１】
ＬＥＤは、上蓋が押下されるごとに、点灯、点滅及び滅灯を繰り返すように制御したので、道路の状況により、点滅で遠くからの視認性を高めたり、点灯にして近くでの視認性を高めたりできる。
【図面の簡単な説明】
【００１２】
【図１】本発明による自転車用ＬＥＤ灯具の斜視図である。
【図２】図１の背面斜視図である。
【図３】図１の縦断面である。
【図４】図３の電池の斜視図である。
【図５】図３の基板の斜視図である。
【図６】図３のゴムカバーの斜視図である。
【図７】図３の上蓋とケースの斜視図である。
【図８】ＬＥＤを上蓋の押下により点滅、点灯、滅灯させる遷移表である。
【図９】皿バネ型スイッチの動作説明図である。（Ａ）はスイッチがオンの状態で、（Ｂ）はスイッチがオフの状態を示す。
【図１０】自転車用ＬＥＤ灯具の使用説明図である。（Ａ）は装着前の状態、（Ｂ）は装着後の状態を示す。
【発明を実施するための形態】
【００１３】
以下、本発明の自転車用ＬＥＤ灯具について、図面を参照して詳しく説明する。
【実施例】
【００１４】
図１は、本発明による自転車用ＬＥＤ灯具１００の斜視図である。自転車用ＬＥＤ灯具１００は、円筒形で透明な上蓋３があり、上部が開口するように設けられた中央開口部１６を有するゴムカバー２で覆われている。底部のピン１は、自転車のハンドルに装着されたグリップの端部開口孔に留めるためのものである。
【００１５】
図２は、図１の背面斜視図である。ゴムカバー２は底部に底孔１７が設けられ、ケース４の底部に設けられた係合部５に、２つに折り曲げられ外側に膨らんだ形状のピン１が取り付けられる。ピン１は、自転車のハンドルのグリップ端部開口孔に留め置かれる。
【００１６】
図３は、図１の縦断面である。自転車用ＬＥＤ灯具１００は、円筒形のケース４と、ケース４に挿入される円筒形で透明な上蓋３と、円筒形で上部に中央開口部１６があり、底部に底孔１７があるゴムカバー２を備える。ゴムカバー２は、シリコンゴム製で、伸び縮み性に優れ、ケース４の側面と底面、上蓋３の上面と側面に密着して覆うようにした。これにより雨水の進入が防止できる。上蓋３を押下して、自転車用ＬＥＤ灯具１００を点滅、点灯あるいは滅灯させる。
【００１７】
図３に示すように、ケース４の内部には、ボタン形の電池６と、電池６の上側に載置される基板７が収納される。電池６は、リチウム電池を使用した。また、基板７の中央にはＬＥＤ（発光ダイオード）８が設けられ、ＬＥＤ８の両側にはノンロックの皿バネ型スイッチ９が設けられる。上蓋３の内側には、皿バネ型スイッチ９を押圧する押圧突起１２が設けられ、上蓋３を押下すると押圧突起１２が皿バネ型スイッチ９を押圧する。皿バネ型スイッチ９は、皿状のため、高さを抑えて薄型にできる。２つの皿バネ型スイッチ９を設けたので、一方が故障しても他方が正常であれば動作できる。
【００１８】
図４は、電池６の斜視図である。上側がマイナス電極で、側面と底部がプラス電極である。図３に示すように、マイナス電極は、基板７に設けられたマイナス電極接続端子１１で接続され、プラス電極は、基板７に設けられたプラス電極接続端子１０で接続される。
【００１９】
図５は、図３の基板７の斜視図である。基板７の中央にはＬＥＤ８が設けられ、ＬＥＤ８の両側にはノンロックの皿バネ型スイッチ９が設けられる。皿バネ型スイッチ９は、皿のような形状で、中央部が膨らんでおり、周囲には３個の足が設けられ、基板７に取り付けることができる。制御チップ１３は、ＬＥＤ８を点滅、点灯、滅灯させるトランジスタ、抵抗、コンデンサなどの回路である。
【００２０】
図６は、図３のゴムカバー２の斜視図である。ゴムカバー２は、底孔１７が設けられ、上部には中央開口部１６を有する。ケース４に電池６、基板７を収納後、上蓋３をケース４に被せるように挿入し、ケース４と上蓋３を押し広げた中央開口部１６から装着する。
【００２１】
図７は、図３の上蓋３とケース４の斜視図である。上蓋３は、円筒形で透明な樹脂製である。上蓋３の内部には、皿バネ型スイッチ９を押圧する押圧突起１２が設けられる。ケース４も円筒形で透明な樹脂製である。
【００２２】
図８は、ＬＥＤ８を上蓋３の押下により点滅、点灯、滅灯させる遷移表である。上蓋３の１回目の押下で、ＬＥＤが点滅を開始し、２回目の押下で点灯に変化し、３回目の押下でＬＥＤが滅灯する。以後、この繰り返しとなる。点滅、点灯、滅灯のシーケンスはリレー回路で組むことができる。
【００２３】
図９は、皿バネ型スイッチ９の動作説明図である。（Ａ）はスイッチがオンの状態で、（Ｂ）はスイッチがオフの状態を示す。図９の（Ａ）と（Ｂ）の下方に記載の図は等価回路を示し、（Ａ）では、基板上の端子Ｔ１、Ｔ２が接続状態で、（Ｂ）では、基板上の端子Ｔ１、Ｔ２が非接続状態にある。図９の（Ａ）と（Ｂ）の上方に示す図は、皿バネ型スイッチ９を表しており、（Ａ）は、皿バネ型スイッチ９が上蓋３で押下され、皿バネ型スイッチ９の中央部９ｂがＴ２に接触するので、基板上の端子Ｔ１、Ｔ２が接続状態になる。（Ｂ）は、上蓋３の押下が解除されると、皿バネ型スイッチ９の中央部９ｂが上方向に膨らんで元の形状に戻るので、上蓋３が押し上げられ基板上の端子Ｔ１、Ｔ２が、非接続状態にある。なお、皿バネ型スイッチ９の外周部９ａは、端子Ｔ１に接続されているとする。
【００２４】
図９に示すように、皿バネ型スイッチ９はノンロックのスイッチで、押下をやめると基板上の端子Ｔ１、Ｔ２が非接続状態になる。そのため、例えば１回目の上蓋３の押下の後に、端子Ｔ１、Ｔ２の接続状態を保ち、ＬＥＤ８に給電を続けるため、自己保持回路（図示せず）がＴ１、Ｔ２と並列に給電を行なう接点が設けられる。自己保持回路は、リレー回路で組むことができ、上蓋３の３回目の押下で自己保持回路の接点がブレークされるように構成する。
【００２５】
図１０は、自転車用ＬＥＤ灯具１００の使用説明図である。（Ａ）は装着前の状態、（Ｂ）は装着後の状態を示す。自転車のハンドル１４には、ゴム製のグリップ１５が装着される。グリップ１５には、径が数ミリメートルの端部開口孔１５ａが設けられているので、ピン１を端部開口孔１５ａに留め置く。ピン１の膨らんだ部分は、端部開口孔１５ａの径より大きいので、端部開口孔１５ａに挿入された後、膨らもうとして確実に固定できる。電池交換のため、端部開口孔１５ａから引き出すこともできる。
【００２６】
自転車用ＬＥＤ灯具１００の光の色は白色又は淡い黄色が望ましい。一般に、自転車では、尾灯が赤色、前方側が白色又は淡い黄色とされている。ＬＥＤチップに、Ｇａ（ガリウム）、Ｎ（窒素）、Ｉｎ（インジウム）、Ａｌ（アルミニウム）、Ｐ（リン）、Ａｓ（ヒ素）などの化合物を混ぜることで、光の波長を異ならせることができる。白色は、赤（ＩｎＰ）、緑（ＡｌＡｓ）、青（ＡｌＰ）の３つの色を作り、白色に見せることができる。黄色は、ＧａＰを使用するか又はＩｎＰの赤色とＡｌＡｓの緑色を作り、黄色に見せてもよい。
【産業上の利用可能性】
【００２７】
本発明の自転車用ＬＥＤ灯具は、自転車のハンドルグリップの端部に良好に取り付けることができる。
【符号の説明】
【００２８】
１    ピン
２    ゴムカバー
３    上蓋
４    ケース
５    係合部
６    電池
７    基板
８    ＬＥＤ
９    皿バネ型スイッチ
９ａ    外周部
９ｂ    中央部
１０    プラス電極接続端子
１１    マイナス電極接続端子
１２    押圧突起
１３    制御チップ
１４    ハンドル
１５    グリップ
１５ａ    端部開口孔
１６    中央開口部
１７    底孔
１００  自転車用ＬＥＤ灯具
Ｔ１、Ｔ２    基板上の端子
【図１】
2016002816.tif 000003
【図２】
2016002816.tif 000004
【図３】
2016002816.tif 000005
【図４】
2016002816.tif 000006
【図５】
2016002816.tif 000007
【図６】
2016002816.tif 000008
【図７】
2016002816.tif 000009
【図８】
2016002816.tif 000010
【図９】
2016002816.tif 000011
【図１０】
2016002816.tif 000012